(57)【要約】      （修正有）【課題】一次コイルに容易に取り付けることのできる電界緩和シールドを備えたガスＶＴを提供する。【解決手段】埋め込み導体４ｃを備えた絶縁スペーサ４によって封止され絶縁ガスが充填された容器２に電圧変成要素１が収納され、前記埋め込み導体と前記電圧変成要素が接続導体５によって接続されたガス絶縁計器用変圧器において、前記電圧変成要素の一次コイル１ｃと前記接続導体が、前記接続導体側に開口部を設けた電界緩和シールド１ｄによって接続されている。【選択図】図１
2013098362.tif 000002
【特許請求の範囲】
【請求項１】
埋め込み導体を備えた絶縁スペーサによって封止され絶縁ガスが充填された容器に電圧変成要素が収納され、前記埋め込み導体と前記電圧変成要素が接続導体によって接続されたガス絶縁計器用変圧器において、前記電圧変成要素の一次コイルと前記接続導体が、前記接続導体側に開口部を設けた電界緩和シールドによって接続されていることを特徴とするガス絶縁計器用変圧器。
【発明の詳細な説明】
【技術分野】
【０００１】
本発明は、変電所等の母線または線路に接続されるガス絶縁計器用変圧器（以下、ガスＶＴと記載する）に関するものである。
【背景技術】
【０００２】
ガスＶＴは、矩形状の鉄心と鉄心の一つの脚部に巻回された一次コイル及び二次コイルとからなる電圧変成要素を容器内に収容して、容器にＳＦ６ガス等の絶縁媒体を封入した構造を有している。この種のガスＶＴは、通常ガス絶縁開閉装置（以下、ＧＩＳと記載する）に組み込まれて、母線や線路の電圧を変成し、計器や継電器に電圧を供給するために用いられている。
【０００３】
図３および図４を用いて従来例について説明する。なお、図では三相形のガスＶＴを示している。電圧変成要素１は矩形状に形成された鉄心１ａを備えている。鉄心１ａは鋼板の積層体からなっていて、二次巻形を介して二次コイル１ｂが巻回され、二次コイル１ｂの外側に一次巻形を介して一次コイル１ｃが巻回されている。一次コイル１ｃの外周には電位固定板１ｅが取り付けられており、さらにこの電位固定板１ｅに電界緩和シールド１ｄが取り付けられている。
【０００４】
図示はされていないが、前記電圧変成要素１が三相分、容器２内に収納されている。この容器２の一端に変換フランジ３を介して絶縁スペーサ４が気密に取り付けられている。容器２内にはＳＦ６ガス等の絶縁媒体が封入されている。絶縁スペーサ４には埋め込み導体４ｃが設けられている。そして、埋め込み導体４ｃに接続導体５が取り付けられ、接続導体５と電界緩和シールド１ｄが接触するように構成されている。
【０００５】
特許文献１には、変圧器本体の一次コイルの外周を取り囲むように高圧シールド（電界緩和シールド）が設けられていることが記載されている。
【先行技術文献】
【特許文献】
【０００６】
【特許文献１】特開平０７−１３０５６１号公報
【発明の概要】
【発明が解決しようとする課題】
【０００７】
電圧変成要素を構成する一次コイル１ｃの外周に電位固定板１ｅが取り付けられ、さらにこの電位固定板１ｅに電界緩和シールド１ｄが取り付けられている。このため、部品点数が多くなり製品の価格が高くなるといった問題があった。さらに部品点数が多くなるため組立の作業工数が多くなるといった問題もあった。
【課題を解決するための手段】
【０００８】
上記課題を解決するため、本発明に係るガスＶＴは、埋め込み導体を備えた絶縁スペーサによって封止され絶縁ガスが充填された容器に電圧変成要素が収納され、前記埋め込み導体と前記電圧変成要素が接続導体によって接続されたガス絶縁計器用変圧器において、前記電圧変成要素の一次コイルと前記接続導体が、前記接続導体側に開口部を設けた電界緩和シールドによって接続されていることを特徴とする。
【発明の効果】
【０００９】
本発明によれば、電界緩和シールドの開口部を接続導体側にすることにより、電位固定板を用いることなく電圧変成要素に電界緩和シールドを取り付けることができる。そうすることで、従来用いていた電位固定板を無くすことができ、部品点数の少ない価格の安いガスＶＴを提供することができる。さらに、部品点数が少なくなることによって、ガスＶＴの組立の作業工数を減らすことができる。
【図面の簡単な説明】
【００１０】
【図１】図１は本発明の一実施形態における三相形ガスＶＴの内部構成を示す図である。
【図２】図２は本発明の一実施形態における三相形ガスＶＴの部分拡大図である。
【図３】図３は従来の三相形ガスＶＴの内部構成を示す図である。
【図４】図４は従来の三相形ガスＶＴの部分拡大図である。
【発明を実施するための形態】
【００１１】
以下、本発明の実施例について図１および図２を用いて説明する。図１は本発明の一実施形態の三相形ガスＶＴにおける内部構成を示す図である。図２は本発明の一実施形態における部分拡大図である。
【００１２】
図１では簡略化するために、電圧変成要素１は一相分しか記載されていないが、容器２の内部には三相分の電圧変成要素１が収納されており、各相の電圧変成要素１は正三角形となるように配置されている。
【００１３】
図１において、１は電圧変成要素、２は電圧変成要素１を収容する容器である。電圧変成要素１は、矩形状に形成された鉄心１ａを備えている。鉄心１ａは、鋼板の積層体からなっていて、二次巻形を介して二次コイル１ｂが巻回され、二次コイル１ｂの外側に一次巻形を介して一次コイル１ｃが巻回されている。一次コイル１ｃを取り囲むように非接地側の一次端子を兼ねる電界緩和シールド１ｄが配置されている。
【００１４】
容器２は金属からなっていて、円筒の胴部２ａと、胴部２ａの一端にフランジ部２ｂが取り付けられ、さらに胴部２ａの他端には蓋板部２ｃが気密に取り付けられている。胴部２ａは、電圧変成要素１を取り囲む部分であり、胴部２ａの内面と電圧変成要素１との間に所定の間隙が形成されるように、胴部２ａの内径が設定されている。
【００１５】
変換フランジ３は、容器２のフランジ部２ｂにボルト（図示せず）によって取り付けられている。変換フランジ３と、容器２のフランジ部２ｂとの間にはＯリング（図示せず）が配設されている。このＯリングにより、変換フランジ３と容器２のフランジ部２ｂとの接続部の気密が図られている。
【００１６】
絶縁スペーサ４は、絶縁樹脂からなる円錐状の本体４ａと、本体４ａの外周部に一体に形成されたフランジ部４ｂとからなっている。そして、本体４ａを貫通した状態で埋込み導体４ｃが三箇所設けられている。
【００１７】
絶縁スペーサ４は、フランジ部４ｂを変換フランジ３にボルト（図示せず）で締結されることにより、変換フランジ３を介して容器２に取り付けられている。絶縁スペーサ４のフランジ部４ｂと、変換フランジ３との間にはＯリング（図示せず）が配設されている。このＯリングにより、絶縁スペーサ４のフランジ部４ｂと変換フランジ３との接続部の気密が図られている。
【００１８】
絶縁スペーサ４の埋め込み導体４ｃの一端はＧＩＳの高圧回路（図示せず）に接続され、埋め込み導体４ｃの他端には接続導体５がボルト（図示せず）によって取付けられている。そして、容器２の内部にはＳＦ６ガス等の絶縁媒体が封入されている。
【００１９】
次に図２を用いて、電界緩和シールド１ｄについて説明する。電界緩和シールド１ｄは、電圧変成要素１の一次コイル１ｃを取り囲むように配置されている。そして、この電界緩和シールド１ｄの開口部１ｆが接続導体５側に向けられるように構成されている。このように構成することで、従来のように電位固定板を用いることなく、電界緩和シールド１ｄを容易に電圧変成要素１に取り付けることができる。
【００２０】
電圧変成要素１を内蔵した容器２に接続導体５が固定された絶縁スペーサ４が取り付けられることによって、電界緩和シールド１ｄの開口部１ｆが接続導体５に接触する。従って、電圧変成要素１が導体５、埋め込み導体４ｃを介して、ＧＩＳ（図示せず）に接続されることになる。
【００２１】
電界緩和シールド１ｄは一般的に、薄板を曲げることによって製作されるが、鋳造、ロストワックス等による成形品でも製作が可能である。そして、電圧変成要素１のコイルが組み立てられた後に電界緩和シールド１ｄが取り付けられるので、電界緩和シールド１ｄは分割されることが望ましい。その際、分割される数は状況に応じて適宜選択されるが、作業性の面から２〜４分割程度が好ましい。
【００２２】
なお、実施例では三相形ガスＶＴについて説明したが、本発明を単相形のガスＶＴにも用いることができるのは言うまでもない。
【符号の説明】
【００２３】
１    電圧変成要素
１ａ  鉄心
１ｂ  二次コイル
１ｃ  一次コイル
１ｄ  電界緩和シールド
１ｅ  電位固定板
１ｆ  開口部
２    容器
２ａ  胴部
２ｂ  フランジ部
２ｃ  蓋板部
３    変換フランジ
４    絶縁スペーサ
４ａ  本体
４ｂ  フランジ部
４ｃ  埋め込み導体
５    接続導体
【図１】
2013098362.tif 000003
【図２】
2013098362.tif 000004
【図３】
2013098362.tif 000005
【図４】
2013098362.tif 000006